(57)【特許請求の範囲】
【請求項１】
屋根の一部を他の部分よりも軒先側に延長してなる葺き下ろし部を備えた建物の屋根構造であって、
前記葺き下ろし部の軒方向の前記他の部分側の端部には、当該端部に沿って延びるのぼり木と、こののぼり木を覆うカバー部材とが配置されており、
前記カバー部材は、当該カバー部材の棟側端部に当該端部よりも前記他の部分の軒先側に突出して雨水を当該他の部分の軒先側に導く導水部を有していることを特徴とする建物の屋根構造。
【請求項２】
前記カバー部材は、前記のぼり木の上面、両側面及び長手方向上端面を覆うけらば水切り部材と、このけらば水切り部材を覆うけらば化粧部材とを備え、
前記導水部は、前記けらば水切り部材に形成されていることを特徴とする請求項１記載の建物の屋根構造。
【請求項３】
前記けらば化粧部材は、前記けらば水切り部材の外側面部と重なり合う重合部と、この重合部に形成され、前記導水部を支持するフランジ部とを有していることを特徴とする請求項２記載の建物の屋根構造。
【請求項４】
前記導水部の先端部には、先端に向かうに従って軒先側に傾斜する傾斜面が形成されていることを特徴とする請求項１ないし請求項３のいずれか一項に記載の建物の屋根構造。
【請求項５】
前記導水部は、板金により形成されており、この導水部の先端部が、折り返し形状であることを特徴とする請求項１ないし請求項４のいずれか一項に記載の建物の屋根構造。
【発明の詳細な説明】
【技術分野】
【０００１】
本発明は、建物の屋根構造に関する。
【背景技術】
【０００２】
特許文献１には、屋根の一部を他の部分よりも軒先側に延長してなる葺き下ろし部を備えた建物の屋根構造が記載されている。
【先行技術文献】
【特許文献】
【０００３】
【特許文献１】特許第５６３６１２８号公報
【発明の概要】
【発明が解決しようとする課題】
【０００４】
ところで、このような建物の屋根構造では、葺き下ろし部の軒方向端部のうち、他の部分側の部位に設けられたけらばは、通常、化粧部材などのカバー部材によって覆われている。しかし、カバー部材には固定具を挿入するための孔やカバー部材同士の繋ぎ目などがあることから、カバー部材の外側面に沿って流れる雨水が多いとカバー部材の内側にも水が浸入し、けらばの下地材などが水に浸り込み、変色や腐食などの原因になる。
【０００５】
本発明はかかる点に鑑みてなされたものであり、その課題は、けらばのカバー部材の外側面に沿って流れる雨水を抑制することにより、カバー部材の内側に水が浸入してけらばの下地材などが水に浸り込むのを防止し得る建物の屋根構造を提供することにある。
【課題を解決するための手段】
【０００６】
前記の課題を解決するため、本発明は、屋根の一部を他の部分よりも軒先側に延長してなる葺き下ろし部を備えた建物の屋根構造において、以下のような構成にする。すなわち、前記葺き下ろし部の軒方向の前記他の部分側の端部には、当該端部に沿って延びるのぼり木と、こののぼり木を覆うカバー部材とが配置されている。前記カバー部材は、当該カバー部材の棟側端部に当該端部よりも前記他の部分の軒先側に突出して雨水を当該他の部分の軒先側に導く導水部を有している。
【発明の効果】
【０００７】
本発明における建物の屋根構造によれば、けらばのカバー部材の外側面に沿って流れる雨水を抑制することができるので、カバー部材の内側に水が浸入してけらばの下地材などが水に浸り込むのを防止することができる。
【図面の簡単な説明】
【０００８】
【図１】図１は本発明の一実施形態に係る建物の屋根構造の全体構成を概略的に示す斜視図である。
【図２】図２は図１のＸ部分の具体的な屋根構造を示す斜視図である。
【図３】図３は図２のＹ−Ｙ線における拡大断面図である。
【図４】図４は図２に示す屋根構造の一構成部材であるのぼり木の配置状態を示す斜視図である。
【図５】図５は前記のぼり木を覆うけらば水切り部材の取付状態を示す斜視図である。
【図６】図６は前記けらば水切り部材のうちの、第１のけらば水切り部材の斜視図である。
【図７】図７は図６のＺ方向から見た前記第１のけらば水切り部材の斜視図である。
【図８】図８は図７のＥ−Ｅ線における拡大断面図である。
【図９】図９は図５に示す状態から屋根材などの取付を行った後の状態を示す斜視図である。
【図１０】図１０は図９のＧ部分を棟側から見た斜視図である。
【図１１】図１１は前記屋根構造の一構成部材であるけらば化粧部材の分解斜視図である。
【図１２】図１２は前記けらば化粧部材の棟側けらば化粧部材を図２に示す取付位置に移動する前の状態を示す斜視図である。
【図１３】図１３は図２のＨ部分の拡大図であって、軒樋を取り外した状態を示す。
【発明を実施するための形態】
【０００９】
以下、本発明を実施するための形態である実施形態を図面に基づいて説明する。以下の実施形態は、建物の屋根構造に関し、特に、葺き下ろし部を備えた建物の屋根構造に関する。
【００１０】
図１は一実施形態に係る建物の屋根構造の全体構成を示す。屋根構造は、屋根１の一部を隣接する他の部分よりも軒先側に延長してなる葺き下ろし部２を備えている。なお、以下の説明では、隣接する他の部分を非葺き下ろし部３という。また、屋根１の棟側から軒先側に向かう方向を屋根１の勾配方向Ｄ１という。この勾配方向Ｄ１と平面視で直交する方向を軒方向Ｄ２という。
【００１１】
葺き下ろし部２の軒先には軒方向Ｄ２に沿って延びる軒樋４が設けられているとともに、非葺き下ろし部３の軒先には、軒樋４よりも高い位置を軒方向Ｄ２に沿って延びる軒樋５が設けられている。各軒樋４，５にはそれぞれ縦樋６，７の上端が接続されており、各軒樋４，５で集めた雨水をそれぞれ縦樋６，７から排水するようになっている。
【００１２】
葺き下ろし部２の軒方向Ｄ２の非葺き下ろし部３側の端部は、カバー部材１０（図３参照）のけらば化粧部材８により覆われている。
【００１３】
屋根構造は、葺き下ろし部２の軒方向Ｄ２の非葺き下ろし部３側の端部に、図２及び図３に示すように、破風板１１、野地板１２、垂木１３、軒天井１４、軒天井下地材１５、のぼり木１６、カバー部材１０及び屋根材１８を備える。カバー部材１０のけらば化粧部材８は、破風板１１の外側面、野地板１２の端面、のぼり木１６の外側面及びけらば水切り部材１７の外側面を側方から覆っている。
【００１４】
破風板１１は、葺き下ろし部２の軒方向Ｄ２の非葺き下ろし部３側の端部に沿って棟側から軒先側にかけて設けられた板であり、建物内部への雨や風などの吹き込みを防ぐためのものである。破風板１１は、野地板１２の端面よりも葺き下ろし部２の軒方向Ｄ２内側に位置している。破風板１１の下端部には軒天井下地材１５が取り付けられている。
【００１５】
野地板１２は、屋根材１８の下地材であり、棟木から軒先にかけて屋根１の勾配方向Ｄ１に沿って設けられる垂木１３の上に固定される。なお、野地板１２には、防水シート１９（アスファルトルーフィング）などを敷設しておくのが好ましい。
【００１６】
軒天井１４は、軒天井下地材１５の下端に取り付けられている。軒天井下地材１５は、屋根１の勾配方向Ｄ１に沿って棟側から軒側にかけて設けられる角材である。軒天井下地材１５は、破風板１１の下端よりも上側に設けられている。
【００１７】
のぼり木１６は、図４にも示すように、葺き下ろし部２の軒方向Ｄ２の非葺き下ろし部３側の端部に沿って延びた状態で野地板１２の上に配置された角材である。のぼり木１６は、その上面から打ち込む釘などの固定具２１により野地板１２及び破風板１１に固定されている。
【００１８】
カバー部材１０は、図３に示すように、のぼり木１６を覆うために葺き下ろし部２の軒方向Ｄ２の非葺き下ろし部３側の端部に沿った状態で配置されている。カバー部材１０は、のぼり木１６の上面、両側面及び長手方向上端面などを覆うけらば水切り部材１７と、けらば水切り部材１７などを覆うけらば化粧部材８とを備える。
【００１９】
けらば水切り部材１７は、図３に示すように、のぼり木１６の上面及び両側面を覆っている。けらば水切り部材１７は、のぼり木１６と隣接する野地板１２の上面に接した状態で覆っている。けらば水切り部材１７は、野地板１２と屋根材１８との間にまで設けられ、屋根材１８の端部から野地板１２に雨水が浸入するのを防ぐようになっている。けらば水切り部材１７は、釘やねじなどの固定具２２によりのぼり木１６に固定されるが、固定具２２が打ち込まれる場所は限定されない。なお、けらば水切り部材１７は、板金をプレス加工などにより成形してなり、通常、その表面のみに塗装が施される。
【００２０】
けらば水切り部材１７は、本実施形態の場合、図５に示すように、のぼり木１６の長手方向上端側に設けられた第１のけらば水切り部材３０と、のぼり木１６の長手方向上端側以外の他の部位に設けられた第２のけらば水切り部材４０とに分割されている。なお、第２のけらば水切り部材４０は、のぼり木１６の長手方向の１箇所又は複数箇所でさらに分割するようにしてもよい。また、図５中、５１は非葺き下ろし部３の軒先側に固定された軒先面戸であり、軒先面戸５１は、軒方向Ｄ２に沿って所定間隔毎に配置された複数の立ち上げ部５２を有している。立ち上げ部５２は、屋根材１８の後述する凸部５６の軒先側開口を塞ぐ部分である（図９参照）。
【００２１】
第１のけらば水切り部材３０は、図６及び図７にも示すように、平坦覆い部３１と、立体覆い部３２とを有している。平坦覆い部３１は、のぼり木１６の長手方向上端側でのぼり木１６と隣接する野地板１２の上面に接する平坦な部分である。立体覆い部３２は、のぼり木１６の長手方向上端側（換言すればけらば水切り部材１７の棟側端部）において、のぼり木１６の上面、両側面及び長手方向上端面を覆う立体的な部分である。
【００２２】
第１のけらば水切り部材３０は、立体覆い部３２のうち、特に、のぼり木１６の長手方向上端面を覆う上端面覆い部３２ａから当該上端面覆い部３２ａよりも非葺き下ろし部３の軒先側に突出する導水部３３をさらに有している。導水部３３は、本実施形態の場合、正面視で上下方向に長い矩形状に形成されており、導水部３３の下端は、平坦覆い部３１よりも所定寸法分（野地板１２の厚み程度分）下方の位置にまで延びている。導水部３３の先端部には、図８に明示するように、先端に向かうに従って軒先側に傾斜する傾斜面３４が形成されており、傾斜面３４は、非葺き下ろし部３の棟側に面している。また、導水部３３の先端部は、折り返し形状になっている。換言すれば、導水部３３の先端部は、導水部３３を形成する板金を導水部３３の裏面側（軒先側）に折り返してなる折り返し部３５を有している。なお、図６中及び図８中、３６は導水部３３の裏面側に設けられたパッキンである。
【００２３】
屋根材１８は、例えば断面凹凸形状をしたルーフ材や、折板屋根材といったものである。本実施形態の屋根材１８は、図９及び図１０に示すように、屋根１の勾配方向Ｄ１と平面視で直交する方向（つまり軒方向Ｄ２）に、凹部５５と凸部５６とが繰り返し形成された金属製の屋根材である。凹部５５及び凸部５６は、屋根材１８の屋根勾配方向Ｄ１の全長に亘って設けられる。屋根１（詳しくは屋根本体）は、複数の屋根材１８によって構成される。
【００２４】
ここで、図１０に示すように、導水部３３は、非葺き下ろし部３の屋根材１８の第１のけらば水切り部材３０に対向する凸部５６からこれに隣接する凹部５５側に突出しているため、凹部５５に沿って流下する雨水を非葺き下ろし部３の軒先側に導く。なお、図１０中、矢符Ｆは雨水の流れを示す。
【００２５】
けらば化粧部材８は、図３に示すように、破風板１１の下端部に引っ掛けられる引掛け部８１と、引掛け部８１から破風板１１の外側面、野地板１２の端面及びけらば水切り部材１７の外側面に沿って上方に設けられた縦包み部８２とを有する。けらば化粧部材８は、縦包み部８２から葺き下ろし部２の軒方向Ｄ２内側に突出する上包み部８３を有する。
【００２６】
引掛け部８１は、本実施形態では、断面逆Ｌ字状をしているが、形状は限定されない。引掛け部８１が破風板１１の下端部に引っ掛けられることにより、けらば化粧部材８の破風板１１に対する取付の位置決めが行われる。
【００２７】
縦包み部８２は、破風板１１の外側面及びけらば水切り部材１７の外側面を覆っている。縦包み部８２は、けらば化粧部材８を破風板１１に固定するための釘やねじなどの固定具８４が配置される凹部８２ａを有する。凹部８２ａは、本実施形態では、縦包み部８２の破風板１１の下端から上端までの部分に２箇所設けられているが、凹部８２ａの数は、２箇所に限定されない。縦包み部８２は、凹部８２ａが設けられる部分以外では、破風板１１との間に隙間を設けているが、隙間は設けなくてもよい。
【００２８】
上包み部８３は、けらば水切り部材１７を上方から覆っている。上包み部８３は、本実施形態では、縦包み部８２の上端から葺き下ろし部２の軒方向Ｄ２内側に向かって延びる横片８３ａと、横片８３ａの縦包み部８２側と反対側の端部から下方に向かって延びる縦片８３ｂとを有する。
【００２９】
けらば化粧部材８は、本実施形態では、図１１に示すように、軒側に設けられる軒側けらば化粧部材８５と、棟側に設けられる棟側けらば化粧部材８６と、軒側けらば化粧部材８５と棟側けらば化粧部材８６の間に設けられる中間けらば化粧部材８７に３分割される。なお、けらば化粧部材８を分割する数は、限定されるものではない。
【００３０】
中間けらば化粧部材８７と軒側けらば化粧部材８５とは、けらば化粧接続部材９０により接続される。中間けらば化粧部材８７と棟側けらば化粧部材８６とは、本実施形態では、重ね施工により接続されるため、けらば化粧接続部材９０は用いられない。なお、中間けらば化粧部材８７と棟側けらば化粧部材８６とは、けらば化粧接続部材９０により接続してもよい。また、けらば化粧接続部材９０により接続する場合、けらば化粧接続部材９０とけらば化粧部材８（詳しくは中間けらば化粧部材８７、軒側けらば化粧部材８５又は棟側けらば化粧部材８６）との間にパッキンを設けることが好ましい。
【００３１】
けらば化粧接続部材９０は、図３に示すように、けらば化粧部材８の縦包み部８２に沿って設けられた縦接続部９１と、けらば化粧部材８の上包み部８３に沿って縦接続部９１の上端から葺き下ろし部２の軒方向Ｄ２内側に突出する上接続部９２とを有する。なお、けらば化粧接続部材９０は、本実施形態では、縦接続部９１の下端から葺き下ろし部２の軒方向Ｄ２内側に向けて突出する下接続部９３を有するが、下接続部９３は設けなくてもよい。
【００３２】
上接続部９２は、縦接続部９１の上端からけらば化粧部材８の上包み部８３の横片８３ａに沿って設けられた横接続片９２ａを有する。横接続片９２ａには、図１１に示すように、ねじ孔などからなる第１固定部９４及び第２固定部９５が設けられている。第１固定部９４は、ねじなどの固定具９６（図３参照）により中間けらば化粧部材８７に固定される。第２固定部９５は、同じく固定具９６により軒側けらば化粧部材８５に固定される。
【００３３】
棟側けらば化粧部材８６は、図１２に示すように、第１のけらば水切り部材３０の外側面部３２ｂと重なり合う重合部８８と、第１のけらば水切り部材３０の導水部３３を支持するフランジ部９７とを有している。
【００３４】
フランジ部９７は、図１２に示すように、第１のけらば水切り部材３０の導水部３３に対応して、棟側けらば化粧部材８６の重合部８８の棟側端を外側方に切り起こして形成される。棟側けらば化粧部材８６が、取付位置よりも中間けらば化粧部材８７側に位置する状態（図１２に示す状態）から取付位置に移動させられるとき、フランジ部９７は、図１３に示すように、導水部３３に対しパッキン３６を圧縮した状態で押し当てられる。この状態で、棟側けらば化粧部材８６は、縦包み部８２の凹部８２ａで固定具により固定される。
【００３５】
また、棟側けらば化粧部材８６は、図１２及び図１３に示すように、第１のけらば水切り部材３０の上端面覆い部３２ａと重なり合った状態で覆う前蓋９８を有している。前蓋９８は、棟側けらば化粧部材８６の取付に際して開閉される。つまり、前蓋９８は、棟側けらば化粧部材８６の上包み部８３の横片８３ａの棟側端を延長して形成された前蓋本体９８ａと、前蓋本体９８ａの基端側（横片８３ａ側）の両側縁に設けられた一対の固定部９８ｂとを有する。そして、図１２に示すように前蓋９８を開いた状態で棟側けらば化粧部材８６の取付の際の移動と固定とが行われる。また、図１３に示すように前蓋９８を閉じ、一対の固定部９８ｂをそれぞれ棟側けらば化粧部材８６の縦包み部８２の外側又は上包み部８３の縦片８３ｂの外側に重なり合った状態で各固定部９８ｂがねじ等の固定具９９により固定される。
【００３６】
次に、本実施形態の作用効果について説明する。本実施形態においては、葺き下ろし部２の軒方向Ｄ２の非葺き下ろし部３側の端部に、当該端部に沿って延びるのぼり木１６と、のぼり木１６を覆うカバー部材１０とが配置されている。カバー部材１０（詳しくはけらば水切り部材１７の第１のけらば水切り部材３０）は、カバー部材１０の棟側端部（上端面覆い部３２ａ）に当該端部よりも非葺き下ろし部３の軒先側に突出して雨水を非葺き下ろし部３の軒先側に導く導水部３３を有している。
【００３７】
このような構成では、図１３に矢符Ｆで示すように、非葺き下ろし部３の屋根材１８の凹部５５に沿って流下する雨水が導水部３３によって非葺き下ろし部３の軒先側に導かれることになる。このため、カバー部材１０の外側面に沿って流れる雨水を抑制することができるので、カバー部材１０の内側に水が浸入してけらばののぼり木や野地板１２などが水に浸り込むのを防止することができる。また、本実施形態のように非葺き下ろし部３の軒先側に軒樋５が設けられている場合、導水部３３によって雨水を軒樋５に導くことができるので、排水効果を高めることができる。
【００３８】
特に、本実施形態では、カバー部材１０は、のぼり木１６の上面、両側面及び長手方向上端面を覆うけらば水切り部材１７と、けらば水切り部材１７を覆うけらば化粧部材８とを備える。導水部３３は、けらば水切り部材１７（詳しくは第１のけらば水切り部材３０）に形成されている。
【００３９】
この構成では、のぼり木１６を覆うカバー部材１０が、けらば水切り部材１７とけらば化粧部材８とを備える場合、導水部３３がけらば水切り部材１７に形成されているため、けらば化粧部材８による化粧効果に影響を与えることはなく、見栄えを良好に維持できる。
【００４０】
また、けらば化粧部材８（詳しくは棟側けらば化粧部材８６）は、けらば水切り部材１７（詳しくは第１のけらば水切り部材３０）の外側面部３２ｂと重なり合う重合部８８と、重合部８８に形成されたフランジ部９７とを有する。フランジ部９７は、導水部３３を支持する。
【００４１】
この構成では、導水部３３は、フランジ部９７により支持補強されているため、導水部３３自体の強度をそれ程大きくしなくても屋根材１８の凹部５５に沿って流下する雨水により導水部３３が変形することはない。しかも、フランジ部９７は、けらば化粧部材８におけるけらば水切り部材７の外側面部３２ｂとの重合部８８に形成されているため、フランジ部９７の成形を、けらば化粧部材８の切り起こしなどによって比較的に容易に行うことができる。
【００４２】
その上、けらば化粧部材８は、けらば水切り部材１７（詳しくは第１のけらば水切り部材３０）の上端面覆い部３２ａと重なり合った状態で覆う前蓋９８を有しているため、けらば水切り部材１７の上端面覆い部３２ａを通してのぼり木１６への水の浸入をより抑制することができる。
【００４３】
さらに、導水部３３の先端部には、先端に向かうに従ってのぼり木１６の長手方向下端側に傾斜する傾斜面３４が形成されている。このため、導水部３３の傾斜面３４により雨水がせき止められることはなく、雨水を非葺き下ろし部３の軒先側に円滑に導くことができる。
【００４４】
加えて、導水部３３は、表面が塗装されかつ端面の切断面が露出する板金により形成されているが、導水部３３の先端部は、折り返し部３５を有する折り返し形状である。このため、折り返し部３５により導水部３３の先端部が塗装面となって、錆の発生しやすい端面は、傾斜面３４によって雨水から保護されることになり、その分錆の発生を抑制することができる。
【００４５】
なお、本発明は前記実施形態に限定されるものではなく、その他種々の形態を包含するものである。例えば実施形態では、のぼり木１６を覆うカバー部材１０が、けらば水切り部材１７と、けらば化粧部材８とを備える場合について述べた。しかし、本発明は、この場合に限らず、カバー部材１０がけらば水切り部材１７及びけらば化粧部材８のいずれか一方のみを備える場合にも同様に適用することができる。要は、カバー部材１０が、カバー部材１０の棟側端部に当該端部よりも非葺き下ろし部３の軒先側に突出して雨水を非葺き下ろし部３の軒先側に導く導水部を有していればよい。
【００４６】
また、導水部３３の形状としては、実施形態のように正面視で上下方向に長い矩形状に限定されるものではなく、例えば導水部３３の先端側に向かうに従って上下方向の長さ（つまり高さ寸法）が次第に小さくなる直角台形状にしてもよい。
【００４７】
以上説明したように、実施形態は、屋根１の一部を他の部分（非葺き下ろし部）３よりも軒先側に延長してなる葺き下ろし部２を備えた建物の屋根構造において、以下のような構成にしている。
【００４８】
すなわち、葺き下ろし部２の軒方向Ｄ２の他の部分３側の端部には、当該端部に沿って延びるのぼり木１６と、のぼり木１６を覆うカバー部材１０とが配置されている。カバー部材１０は、カバー部材１０の棟側端部に当該端部よりも他の部分３の軒先側に突出して雨水を他の部分３の軒先側に導く導水部３３を有している。
【００４９】
この構成では、屋根１の棟側からカバー部材１０に向かって流下する雨水が導水部３３によって他の部分３の軒先側に導かれるため、カバー部材１０の外側面に沿って流れる雨水を抑制することができる。その結果、カバー部材１０の内側に水が浸入してのぼり木１６や野地板１２などが水に浸り込むのを防止することができる。
【００５０】
実施形態は、前述した構成に加えて、以下のような構成にしている。すなわち、カバー部材１０は、のぼり木１６の上面、両側面及び長手方向上端面を覆うけらば水切り部材１７と、けらば水切り部材１７を覆うけらば化粧部材８とを備える。導水部３３は、けらば水切り部材１７に形成されている。
【００５１】
この構成では、のぼり木１６を覆うカバー部材１０が、けらば水切り部材１７とけらば化粧部材８とを備える場合、導水部３３がけらば水切り部材１７に形成されているため、けらば化粧部材８による化粧効果に影響を与えることはなく、見栄えを良好に維持できる。
【００５２】
実施形態は、前述した構成に加えて、以下のような構成にしている。すなわち、けらば化粧部材８（詳しくは棟側けらば化粧部材８６）は、けらば水切り部材１７（詳しくは第１のけらば水切り部材３０）の外側面部３２ｂと重なり合う重合部８８と、重合部８８に形成されたフランジ部９７とを有している。フランジ部９７は、導水部３３を支持する。
【００５３】
この構成では、導水部３３は、フランジ部９７により支持補強されているため、導水部３３自体の強度をそれ程大きくしなくても屋根１の棟側からカバー部材１０に向かって流下する雨水により導水部３３が変形することはない。しかも、フランジ部９７は、けらば化粧部材８におけるけらば水切り部材１７の外側面部３２ｂとの重合部８８に形成されているため、フランジ部９７の成形を、けらば化粧部材８の切り起こしなどによって比較的に容易に行うことができる。
【００５４】
実施形態は、前述した構成に加えて、以下のような構成にしている。すなわち、導水部３３の先端部には、先端に向かうに従って軒先側に傾斜する傾斜面３４が形成されている。
【００５５】
この構成では、導水部３３の傾斜面３４により雨水がせき止められることはなく、雨水を他の部分３の軒先側に円滑に導くことができる。
【００５６】
実施形態は、前述した構成に加えて，以下のような構成にしている。すなわち、導水部３３は、板金により形成されており、この導水部３３の先端部が、折り返し形状である。
【００５７】
この構成では、導水部３３の先端部が折り返し形状であるため、導水部３３の先端部の錆の発生を抑制することができる。
【符号の説明】
【００５８】
１    屋根
２    葺き下ろし部
３    非葺き下ろし部（他の部分）
８    けらば化粧部材
１０    カバー部材
１６    のぼり木
１７    けらば水切り部材
３０    第１のけらば水切り部材
３２    立体覆い部
３２ａ  上端面覆い部（覆い部）
３３    導水部
３４    傾斜面
３５    折り返し部
８６    棟側けらば化粧部材
８８    重合部
９７    フランジ部
Ｄ２    軒方向
【図１】
0006541071.tif 000002
【図２】
0006541071.tif 000003
【図３】
0006541071.tif 000004
【図４】
0006541071.tif 000005
【図５】
0006541071.tif 000006
【図６】
0006541071.tif 000007
【図７】
0006541071.tif 000008
【図８】
0006541071.tif 000009
【図９】
0006541071.tif 000010
【図１０】
0006541071.tif 000011
【図１１】
0006541071.tif 000012
【図１２】
0006541071.tif 000013
【図１３】
0006541071.tif 000014